(57)【要約】      （修正有）【課題】玄関子機からの映像が出力されている状態で、他のインターホン機器と通話することができるインターホン装置を提供する。【解決手段】来訪者を撮像するカメラを備えた玄関子機と、カメラで撮像された映像を出力するモニタを備えた居室親機、または増設居室親機で通話し、玄関子機からの映像を居室親機、または増設居室親機で表示するインターホン装置において、居室親機および増設居室親機は、他インターホン機器と通話するための音響部と、玄関子機からの映像信号の映像路接続・遮断を切り替える映像路切替部と、前記玄関子機および他インターホン機器との音声信号の通話路接続・遮断を切り替える通話路切替部と、玄関子機と居室親機および増設居室親機の何れか一つと通話しているときに他インターホン機器との内線操作を行った場合、玄関子機との映像路および他のインターホン機器との通話路を接続する制御信号を送信するＣＰＵを備える。【選択図】図１
2010074756.tif 000002
【特許請求の範囲】
【請求項１】
来訪者を撮像するカメラ（１０１）を備えた玄関子機(１)と、前記カメラで撮像された映像を出力するモニタ（２０１、３０１ａ、３０１ｂ、・・・）を備えた居室親機(２)、または増設居室親機(３ａ、３ｂ、・・・)で通話し、前記玄関子機からの映像を前記居室親機、または前記増設居室親機で表示するインターホン装置において、
前記居室親機および前記増設居室親機は、他インターホン機器と通話するための音響部（２０３、３０３ａ、３０３ｂ、・・・）と、前記玄関子機からの映像信号の映像路接続・遮断を切り替える映像路切替部（２０５、３０５ａ、３０５ｂ、・・・）と、前記玄関子機および他インターホン機器との音声信号の通話路接続・遮断を切り替える通話路切替部（２０６、３０６ａ、３０６ｂ、・・・）と、前記玄関子機と前記居室親機および前記増設居室親機の何れか一つと通話しているときに他インターホン機器との内線操作を行った場合、前記玄関子機との映像路および前記他のインターホン機器との通話路を接続する制御信号を送信するＣＰＵ（２０４、３０４ａ、３０４ｂ、・・・）を備えたことを特徴とするインターホン装置
【発明の詳細な説明】
【技術分野】
【０００１】
本発明はインターホン装置に係わり、玄関子機からの映像信号をモニタに出力しながら、他のインターホン親機と内線通話を行うことができるインターホン装置に関する。
【背景技術】
【０００２】
従来から、玄関子機にて呼び出しを行ったとき、居室に設置されている複数の親機に通知・応答することができるインターホン装置において、親機同士の内線通話を行うことができるインターホン装置が知れ渡っている。  例えば、特許文献１では、インターホン親機同士の内線通話を行っているときには、ドアホン子器からの音声の混入を阻止することができる２線式テレビインターホンが開示されている。
【特許文献１】特開平０８−０６５６５７
【発明の開示】
【発明が解決しようとする課題】
【０００３】
しかしながら、特許文献１のインターホン装置では、ドアホン子器からの呼出中や通話中のときに、モニタテレビ付インターホン親機同士で同時通話を行うことができなかった。したがって、ドアホン子器にて呼出操作を行った来訪者が不審者かどうかを家族に相談しようとしても、他のインターホン機器と通話を行うことができなかった。
【０００４】
本発明は、この難点を解決するためになされたもので、玄関子機からの映像が出力されている状態で、他のインターホン機器と通話することができるインターホン装置を提供することを目的とする。
【課題を解決するための手段】
【０００５】
上記課題を解決するために、請求項１に記載の発明は、来訪者を撮像するカメラを備えた玄関子機と、カメラで撮像された映像を出力するモニタを備えた居室親機、または増設居室親機で通話し、玄関子機からの映像を居室親機、または増設居室親機で表示するインターホン装置において、居室親機および増設居室親機は、他インターホン機器と通話するための音響部と、玄関子機からの映像信号の映像路接続・遮断を切り替える映像路切替部と、前記玄関子機および他インターホン機器との音声信号の通話路接続・遮断を切り替える通話路切替部と、玄関子機と居室親機および増設居室親機の何れか一つと通話しているときに他インターホン機器との内線操作を行った場合、玄関子機との映像路および他のインターホン機器との通話路を接続する制御信号を送信するＣＰＵを備えたことを特徴とする。
【発明の効果】
【０００６】
請求項１の発明によれば、玄関子機と通話している時に、玄関子機からの映像を確認しながら他のインターホン機器と内線通話を行うことができる。
【発明を実施するための最良の形態】
【０００７】
以下、本発明によるインターホンシステムを適用した好ましい形態の実施例について、図面を参照して説明する。
図１はインターホンシステムのブロック図を示している。本発明のインターホン装置は図１に示すように、玄関子機１、居室親機２、増設居室親機３ａ、３ｂ、・・・とで構成されている。
【０００８】
玄関子機１は、門扉、または玄関周辺を撮像するカメラ１０１と、来訪者が居住者を呼出すための呼出ボタン１０２と、居住者と通話するための音響部１０３と、居室親機２および増設居室親機３ａ、３ｂ、・・・と通信するための子機Ｉ／Ｆ１０４で構成されている。
居室親機２および増設居室親機３ａ、３ｂ、・・・は、玄関カメラ１０１で撮像された映像を出力するモニタ２０１、３０１ａ、３０１ｂ、・・・と、居住者が応答するための通話操作や他のインターホン機器と内線操作を行うための操作ボタン２０２、３０２ａ、３０２ｂ、・・・と、来訪者と通話するための音響部２０３、３０３ａ、３０３ｂ、・・・と、居室親機２および増設居室親機３ａ、３ｂ、・・・を制御する親機ＣＰＵ２０４、増設ＣＰＵ３０４ａ、３０４ｂ、・・・と、玄関子機１からの映像信号の映像路接続・遮断の切り替えを行う映像路切替部２０５、３０５ａ、３０５ｂ、・・・と、前記玄関子機および他のインターホン機器との音声信号の通話路接続・遮断の切り替えを行う通話路切替部２０６、３０６ａ、３０６ｂ、・・・と、玄関子機１および他のインターホン機器と通信するための親機Ｉ／Ｆ２０７、増設Ｉ／Ｆ３０７ａ、３０７ｂ、・・・で構成されている。
【０００９】
次に動作の説明を行う。
来訪者が玄関子機１の呼出ボタン１０２を操作すると、呼出信号は子機Ｉ／Ｆ１０４、親機Ｉ／Ｆ２０７ｂ、増設Ｉ／Ｆ３０７ａ、３０７ｂ、・・・を介して親機ＣＰＵ２０４、増設ＣＰＵ３０４ａ、３０４ｂ、・・・に送信される。呼出信号を受信した親機ＣＰＵ２０４、増設ＣＰＵ３０４ａ、３０４ｂ、・・・は、音響部２０３、３０３ａ、３０３ｂ、・・・から呼出音を出力するよう制御すると共に、通話路切替部２０６、３０６ａ、３０６ｂ、・・・に玄関子機１からの音声信号のみを通過させる片方向通話路接続信号を送信し、映像切替部２０５、３０５ａ、３０５ｂ、・・・に映像路接続信号を送信する。すると、玄関子機１の音響部１０３からの音声信号は、子機Ｉ／Ｆ１０４、親機Ｉ／Ｆ２０７、増設Ｉ／Ｆ３０７ａ、３０７ｂ、・・・を介して、音響部２０３、３０３ａ、３０３ｂ、・・・にて出力されると共に、玄関子機１の玄関カメラ１０１からの映像信号は、子機Ｉ／Ｆ１０４、親機Ｉ／Ｆ２０７、増設Ｉ／Ｆ３０７ａ、３０７ｂ、・・・を介して、モニタ２０１、３０１ａ、３０１ｂ、・・・に出力される。
【００１０】
このとき、通話を行うインターホン機器、例えば居室親機２の操作ボタン２０２にて通話操作すると、通話路切替部２０６に双方向通話路接続信号を送信し、増設親機３ａ、３ｂ、・・・の通話路切替部３０６ａ、３０６ｂ、・・・および映像路切替部３０５ａ、３０５ｂ、・・・に通話路遮断信号および映像路遮断信号を送信する。これらの信号により、居室親機２からの音声信号は、音響部２０３から通話路切替部２０６、親機Ｉ／Ｆ２０７、子機Ｉ／Ｆ１０４を介して音響部１０３にて出力することができ、双方向の通話を行うことができる。また、増設親機３ａ、３ｂ、・・・のモニタ３０１ａ、３０１ｂ、・・・への映像信号は遮断される。
【００１１】
ここで、玄関子機１と居室親機２が通話中に、居室親機２から増設居室親機３ａに内線通話を行う場合の動作説明を行う。
玄関子機１と居室親機２が通話中に操作ボタン２０２で内線操作を行うと、親機ＣＰＵ２０４は、通話路切替部２０６に増設親機３ａとの通話路を接続する内線通話路接続信号を送信すると共に、親機Ｉ／Ｆ２０７、増設Ｉ／Ｆ３０７ａを介し増設ＣＰＵ３０４ａに内線信号を送信する。内線信号を受信した増設ＣＰＵ３０４ａは、通話路切替部３０６ａに居室親機２との通話路を接続する内線通話路接続信号を送信すると共に、映像路切替部３０５ａに玄関子機１からの映像信号を接続する映像路接続信号を送信する。
即ち、居室親機２からの音声信号は、音響部２０３から通話路切替部２０６、親機Ｉ／Ｆ２０７、増設Ｉ／Ｆ３０７ａ、通話路切替部３０６ａを介して音響部３０３ａに出力し、増設居室親機３ａからの音声信号は、音響部３０３ａから通話路切替部３０６ａ、増設Ｉ／Ｆ３０７ａ、親機Ｉ／Ｆ２０７、通話路切替部２０６を介して音響部２０３に出力することができる。また、玄関子機１の玄関カメラ１０１からの映像信号は、子機Ｉ／Ｆ１０４、増設Ｉ／Ｆ３０７ａを介して、モニ３０１ａに出力することができる。
【００１２】
従って、玄関子機１と居室親機２間で通話している最中に増設居室親機３ａに内線通話を行うと、居室親機２と増設居室親機３ａのモニタ２０１、３０１ａに映像を出力しながら、居室親機２の音響部２０３と増設居室親機３ａの音響部３０３ａ間で通話を行うことができる。
また、玄関から呼出しをされて通話に入る前に、他のインターホン機器と内線通話を行うことも可能である。
【図面の簡単な説明】
【００１３】
【図１】本発明に係るインターホン装置のシステム構成図。
【符号の説明】
【００１４】
１ａ                          玄関子機
１０１                      カメラ
２                            居室親機
２０１                      モニタ
２０３                      音響部
２０４                      ＣＰＵ
２０５                      映像路切替部
２０５                      通話路切替部
３ａ、３ｂ・・・              増設居室親機
３０１ａ、３０１ｂ・・・    モニタ
３０３ａ、３０３ｂ・・・    音響部
３０４ａ、３０４ｂ・・・    ＣＰＵ
３０５ａ、３０５ｂ・・・    映像路切替部
３０６ａ、３０６ｂ・・・    通話路切替部
【図１】
2010074756.tif 000003